(57)【要約】本発明は、産婦の子宮からの羊水を捕集するための器具に関し、より詳細には、産婦の子宮頚部の外部入口から流出する羊水を捕集するために子宮頚部の下端に羊水捕集用小袋の上端に折りたたむように形成された密着部を密着させる羊水捕集用器具を使用することで、産婦の早産、羊水炎症及び感染、胎児炎症及び感染、胎児損傷、胎児成熟度、胎児疾患及び奇形児検査、および羊水成分検査などのために産婦の腹部に直接的に注射器を注入して羊水を捕集する場合の危険度を減らすのみならず、産婦の痛症及び心理的不安感などを誘発し得る問題点を防止することができる。2009544402.tif 000003
2009544402.tif 000002
【特許請求の範囲】
【請求項１】
産婦の子宮頚部４０の外部入口４５を通じて流出する羊水を捕集するように前記子宮頚部４０の下端に具備される羊水捕集用小袋５０及び、前記羊水捕集用小袋５０を前記子宮頚部４０の下端に密着させる羊水捕集用器具６０からなる子宮からの羊水捕集のための器具。
【請求項２】
前記羊水捕集用小袋５０が、前記子宮頚部４０の下端に密着するように上端で一定の長さで折り返されて形成された密着部５３をさらに含むことを特徴とする、請求項１に記載の子宮からの羊水捕集のための器具。
【請求項３】
前記羊水捕集用小袋５０を前記子宮頚部４０の下端に密着するように折り返された前記密着部５３を展開させる羊水捕集用器具６０を特徴とする、請求項１または請求項２に記載の子宮からの羊水捕集のための器具。
【請求項４】
前記羊水捕集用小袋５０の材質が、人体に無害な天然ゴムまたはウレタンなどの材質であることを特徴とする、請求項３に記載の子宮からの羊水捕集のための器具。
【請求項５】
前記羊水捕集用小袋５０の密着部５３が、親水性材質であることを特徴とする、請求項３に記載の子宮からの羊水捕集のための器具。
【請求項６】
前記羊水捕集用器具６０が、オーリング（Ｏ−ｒｉｎｇ）形状のハンドル部６５から上側に一体に形成された円柱形状の密着ガイド部６３を含んで成ることを特徴とする、請求項３に記載の子宮からの羊水捕集のための器具。
【請求項７】
前記密着ガイド部６３を一つ以上複数個さらに形成することを特徴とする、請求項６に記載の子宮からの羊水捕集のための器具。
【請求項８】
産婦の子宮頚部４０の外部入口４５から流出する羊水を捕集するために前記子宮頚部４０の下端に密着するように上端で一定の長さで折り返されて形成された密着部５３を含む羊水捕集用小袋５０及び、前記羊水捕集用小袋５０を前記子宮頚部４０の下端に密着するように折り返された前記密着部５３を展開させる羊水捕集用器具７０からなる子宮からの羊水捕集のための器具。
【請求項９】
前記羊水捕集用小袋５０の材質が、人体に無害な天然ゴムまたはウレタンなどの材質であることを特徴とする、請求項８に記載の子宮からの羊水捕集のための器具。
【請求項１０】
前記羊水捕集用小袋５０の密着部５３が、親水性材質であることを特徴とする、請求項８または請求項９に記載の子宮からの羊水捕集のための器具。
【請求項１１】
前記羊水捕集用器具７０が、貫通形成された円筒形状に形成されたことを特徴とする、請求項８に記載の子宮からの羊水捕集のための器具。
【発明の詳細な説明】
【技術分野】
【０００１】
本発明は、産婦の子宮頚部から羊水を捕集するための器具であって、産婦の子宮頚部の外部入口から流出する羊水を子宮頚部の下端に羊水捕集用小袋の密着部を羊水捕集用器具を使用して密着させる、子宮頚部からの羊水を捕集するための器具に関するものである。
【背景技術】
【０００２】
一般的に、妊娠中の産婦の子宮中には、大きく分けて胎児と羊水が存在する。そして、妊娠周期によって産婦及び胎児に対する多様な医療検査を行う。
【０００３】
特に、産婦の早産、羊水炎症及び感染、胎児炎症及び感染、胎児損傷、胎児成熟度、胎児疾患及び奇形児検査、羊水成分検査などのために産婦の腹部に羊水捕集用注射器を直接的に注入して子宮から羊水を採取するが、このように注射器を使用した手術方法は病名が明確な場合には必然的に行われるが、それ以外にも多様な検査のために行われている。
【０００４】
しかし、注射器注入時に産婦の痛症及び心理的不安感などを誘発させることあり、検査による合併症発生及び医療事故の可能性を排除することができないのが実情である。
【発明の概要】
【発明が解決しようとする課題】
【０００５】
上述した問題点を解決するために本発明は、産婦の早産、羊水炎症及び感染、胎児炎症及び感染、胎児損傷、胎児成熟度、胎児疾患及び奇形児検査、および羊水成分検査などのために産婦の腹部に直接的に注射器を注入して羊水を捕集する場合の危険度を減らすことのみならず、産婦の痛症及び心理的不安感などを誘発させ得る問題点を防止することができる、子宮からの羊水捕集用器具を提供することを目的とする。
【課題を解決するための手段】
【０００６】
前記目的を達成するために案出された本発明の第１実施例は、産婦の子宮頚部の外部入口を通じて流出する羊水を捕集するように、前記子宮頚部の下端に具備される羊水捕集用小袋、および前記羊水捕集用小袋を前記子宮頚部の下端に密着させる羊水捕集用器具からなる子宮からの羊水捕集のための器具である。
【０００７】
ここで、前記羊水捕集用小袋は、前記子宮頚部の下端に密着するように上端で一定の長さで折り返されて形成された密着部をさらに含むことを特徴とする。
【０００８】
前記羊水捕集用小袋を前記子宮頚部の下端に密着するように折り返された前記密着部を展開させる羊水捕集用器具を特徴とする。
【０００９】
前記羊水捕集用小袋の材質は、人体に無害な天然ゴムまたはウレタンなどの材質であることを特徴とする。
【００１０】
前記羊水捕集用小袋の密着部は、親水性材質であることを特徴とする。
【００１１】
前記羊水捕集用器具は、オーリング（Ｏ−ｒｉｎｇ）形状のハンドル部から上側に一体に形成された円柱形状の密着ガイド部を含んで成り立つ。
【００１２】
さらに、前記密着ガイド部を一つ以上複数個さらに形成することを特徴とする。
【００１３】
一方、本発明の第２実施例は、産婦の子宮頚部の外部入口から流出する羊水を捕集するために、前記子宮頚部の下端に密着するように上端で一定の長さで折り返されて形成された密着部を含む羊水捕集用小袋、および前記羊水捕集用小袋を前記子宮頚部の下端に密着するように折り返された前記密着部を展開させる羊水捕集用器具からなる子宮からの羊水捕集のための器具である。
【００１４】
ここで、前記羊水捕集用小袋の材質は、人体に無害な天然ゴムまたはウレタンなどの材質であることを特徴とする。
【００１５】
前記羊水捕集用小袋の密着部は、親水性材質であることを特徴とする。
【００１６】
前記羊水捕集用器具は、貫通形成された円筒形状に形成されたことを特徴とする。
【発明の効果】
【００１７】
したがって、本発明は、産婦の子宮頚部から羊水を捕集するための器具として、産婦の子宮頚部の外部入口から流出する羊水を捕集するために、子宮頚部の下端に羊水捕集用小袋の上端に折りたたむように形成された密着部を密着させる羊水捕集用器具を使用することで、産婦の早産、羊水炎症及び感染、胎児炎症及び感染、胎児損傷、胎児成熟度、胎児疾患及び奇形児検査、羊水成分検査などのために産婦の腹部に直接的に注射器を注入して羊水を捕集する場合の危険度を減らすことのみならず、産婦の痛症及び心理的不安感等を誘発させ得る問題点を防止することができる効果がある。
【図面の簡単な説明】
【００１８】
【図１】女性の生殖器の断面図である。
【図２】本発明の第１実施例による子宮頚部に羊水捕集用小袋が密着された状態を示す拡大断面図である。
【図３】本発明の第１実施例による羊水捕集用小袋を子宮頚部に密着させる過程を示す拡大断面図である。
【図４】本発明の第１実施例による羊水捕集用小袋を示す断面図及び斜視図である。
【図５】本発明の第１実施例による羊水捕集用器具を概略的に示す斜視図である。
【図６】本発明の変形例による羊水捕集用器具を概略的に示す斜視図である。
【図７】本発明の変形例による羊水捕集用器具を概略的に示す斜視図である。
【図８】本発明の第２実施例による羊水捕集用小袋を子宮頚部に密着させる過程を示す拡大断面図である。
【図９】本発明の第２実施例による羊水捕集用器具を概略的に示す斜視図である。
【発明を実施するための形態】
【００１９】
以下、添付図面に基づいて本発明による好ましい実施例を下記にて詳しく説明する。
【００２０】
図１は、女性の生殖器の断面図で、図２は本発明の第１実施例による子宮頚部に羊水捕集用小袋が密着した状態を示す拡大断面図で、図３は本発明の第１実施例による羊水捕集用小袋を子宮頚部に密着させる過程を示す拡大断面図で、図４は本発明の第１実施例による羊水捕集用小袋を示す断面図及び斜視図で、図５、図６及び図７は本発明の第１実施例及び変形例による羊水捕集用器具を概略的に示す斜視図で、図８は本発明の第２実施例による羊水捕集用小袋を子宮頚部に密着させる過程を示す拡大断面図で、図９は本発明の第２実施例による羊水捕集用器具を概略的に示す斜視図である。
【００２１】
図１に図示したように、一般的に女性の生殖器１は、外生殖器である膣入口４９、内生殖器である膣４７、子宮１０、卵管２０及び卵巣３０で構成されている。
【００２２】
前記卵巣３０では、卵子を生産して女性ホルモンを分泌する。
【００２３】
女性が思春期に至ると、前記卵巣３０で卵子が成熟して離れる排卵が起きる。
【００２４】
両側卵巣３０で交互に２ヶ月に一つずつ卵子を排卵して、結果的に一月に一回ずつ卵子が排出されるようになる。
【００２５】
排卵時に子宮１０の内膜が厚くなり、受精卵が着床しなければ厚くなった内膜組織が脱落して月経が現れるようになる。
【００２６】
月経は、概して一ヶ月に一回程度あるが、初経後１、２年はもちろん結婚前まで規則的ではない場合もある。
【００２７】
前記卵巣３０は、子宮１０後面上部両方にそれぞれ１個ずつある器官で男性の睾丸のような役割をしている。すなわち、卵子を生成して発育させ排出させて女性ホルモンを分泌する。
【００２８】
前記卵巣３０の大きさは、年齢によって異なるが成人の場合、杏大程度で閉経期後には著しく小さくなって小さな豆より若干大きい程度になる。
【００２９】
前記子宮１０は、厚い膜からなる筋肉器官である。妊娠末期まで胎児を収容することができるほどによく膨脹できる筋肉で構成されている。
【００３０】
前記子宮１０は、西洋梨模様をしていて大きさは多様である。子宮１０の重要な機能は、月経をするようにし、受精卵を子宮１０内膜に着床させて妊娠を維持させて妊娠から分娩まで胎児が育つようにする。
【００３１】
子宮１０は、内が空いていて、前方には膀胱があり、後方には直腸がある。
【００３２】
膣４７は、外陰から子宮１０まで通じる一つの筋肉官で膣４７の前方には尿道と膀胱が位置し、後方には直腸が位置する。
【００３３】
膣４７の上端には子宮頚部４０、下端は結婚前の場合、膣４７の長さは、約７〜１０ｃｍ程度で、子宮１０の分泌物と月経を外に出す排泄管の役割をし、性交器官である。
【００３４】
分娩時には、胎児が通過する産道の役割をする。膣腔は常に湿気を帯びていて、それは子宮１０の粘膜や前記子宮頚部４０の内部入口４３及び外部入口４５から流れ出る分泌物と膣腔内から出る粘液のためである。
【００３５】
膣粘液は、酸性を維持して病菌の侵入を防ぎ、一般細菌の繁殖を抑制する。
【００３６】
小陰唇（未図示）は大陰唇（未図示）内側に位置して脂肪組織と粘膜で覆われていて毛嚢がなく、性的興奮時に赤くなる器官である。上端部は陰核包皮で取り囲まれている。
【００３７】
発明の形態
本発明の第１実施例では、図２ないし図５に図示したように、産婦の子宮頚部４０の外部入口４５から流出する羊水を捕集するために、前記子宮頚部４０の下端に羊水捕集用小袋５０（図４参照）の上端を折りたたむように形成された密着部５３を密着させる羊水捕集用器具６０（図５参照）を使用することで、前記羊水捕集用小袋５０に羊水を好ましく捕集することができる。
【００３８】
ここで、前記羊水捕集用器具６０は、オーリング（Ｏ−ｒｉｎｇ）形状のハンドル部６５から上側に一体に形成された複数個の円柱形状の密着ガイド部６３を含んで成り立つ。
【００３９】
したがって、上記の羊水捕集過程を詳しく説明すると次のようになる。
【００４０】
まず、前記羊水捕集用小袋５０の折りたたまれた密着部５３の一方及び他方に前記羊水捕集用器具６０の密着ガイド部６３を固定させる。
【００４１】
前記密着ガイド部６３を、前記膣４７を経て前記子宮頚部４０の下端に接触させる。
【００４２】
前記子宮頚部４０の下端外周面に円周方向に接触した前記羊水捕集用小袋５０の密着部５３を前記羊水捕集用器具６０のハンドル部６５を使用して上側にさらに押し入れるようにすると前記密着ガイド部６３によって前記密着部５３は折りたたまれた状態から均一に展開して前記子宮頚部４０下端外周面に好ましく密着される。
【００４３】
したがって、前記子宮頚部４０の外部入口４５から流出する羊水が、前記のように密着された羊水捕集用小袋５０内側に好ましく捕集されることにより、産婦の腹部に直接的に注射器を使用して採取する場合と同一な良質の羊水を獲得することができる。
【００４４】
ここで、前記羊水捕集用器具６０は、本発明の第１実施例では、前記オーリング（Ｏ−ｒｉｎｇ）形状のハンドル部６５から上側に一体に形成された円柱形状の密着ガイド部６３が二個の場合を示したが、図６及び図７に図示したように、前記密着ガイド部６３がそれぞれ三つ、四つ形成された変形例を形成して適用することができ、前記密着ガイド部６３の形状は、それ以外の多様な形状で形成して適用することができる。
【００４５】
このように獲得及び捕集された羊水を使用して産婦及び胎児の状態に対する多様な検査を実施することができるので、産婦の腹部から直接的に注射器を使用して羊水を採取する場合に比べて、産婦の痛症及び心理的不安感を顕著に減少させることができるだけでなく、注射器挿入時に発生し得る検査による合併症及び医療事故などに対しても非常に安全であり得る。
【００４６】
ここで、前記羊水捕集用小袋５０の材質は、産婦の子宮頚部４０及び膣４７内膜に必然的に接触するため、人体に無害な天然ゴムまたはウレタンなどの材質で形成することが好ましい。
【００４７】
また、前記羊水捕集用小袋５０の密着部５３が、前記子宮頚部４０下端の外周面に好ましく密着できるように親水性材質で形成することが好ましい。
【００４８】
一方、本発明の第２実施例では、図８及び図９に図示したように、産婦の子宮頚部４０の外部入口４５から流出する羊水を捕集するために、前記子宮頚部４０の下端に羊水捕集用小袋５０の上端に折りたたむように形成された密着部５３を上端の密着ガイド部７３で好ましく密着させる羊水捕集用器具７０（図９参照）を使用することで、前記羊水捕集用小袋５０に羊水を好ましく捕集することができる。
【００４９】
ここで、前記羊水捕集用器具７０は、貫通形成された円筒形状に形成することが好ましい。
【００５０】
したがって、上述の羊水捕集過程を詳しく説明すると下記のようになる。
【００５１】
まず、前記羊水捕集用小袋５０の折りたたんだ密着部５３の内側円周方向に前記羊水捕集用器具７０の上端にある密着ガイド部７３を接触及び固定させる。
【００５２】
前記羊水捕集用器具７０を膣入口４９に挿入して、前記密着ガイド部７３が前記膣４７を経て前記子宮頚部４０の下端に接触するようにする。
【００５３】
前記子宮頚部４０の下端外周面に円周方向に接触した前記羊水捕集用小袋５０の密着部５３を前記羊水捕集用器具７０の下端を上側にさらに押し入れるようにすると、前記羊水捕集用器具７０の密着ガイド部７３によって前記密着部５３は、折りたたまれた状態から均一に展開して前記子宮頚部４０下端外周面に好ましく密着される。
【００５４】
したがって、前記子宮頚部４０の外部入口４５から流出する羊水が、前記のように密着された羊水捕集用小袋５０内側で好ましく捕集されて、産婦の腹部に直接的に注射器を使用して採取する場合と同一な良質の羊水を獲得することができる。
【００５５】
このように獲得及び捕集された羊水を使用して、産婦及び胎児の状態に対する多様な検査を実施することができるので、産婦の腹部から直接的に注射器を使用して羊水を採取する場合に比べて、産婦の心理的不安感及び痛症を顕著に減少させることができるだけでなく、注射器挿入時に発生し得る検査による合併症及び医療事故などに対しても非常に安全である。
【００５６】
ここで、前記羊水捕集用小袋５０の材質は、産婦の子宮頚部４０及び膣４７内膜に必然的に接触されるので、人体に無害な天然ゴムまたはウレタンなどの材質で形成することが好ましい。
【００５７】
また、前記羊水捕集用小袋５０の密着部５３が、前記子宮頚部４０下端外周面に好ましく密着できるように、親水性材質で形成することが好ましい。
【００５８】
以上で、本発明の好ましい実施例を例示的に説明したが、本発明の範囲は、このような特定実施例にのみ限定されず、該当分野で通常の知識を有する者なら本発明の特許請求範囲に記載した範疇内で適切な変更が可能だろう。
【符号の説明】
【００５９】
１：生殖器
１０：子宮
２０：卵管
３０：卵巣
４０：子宮頚部
４３：子宮頚部内部入口
４５：子宮頚部外部入口
４７：膣
４９：膣入口
５０：羊水捕集用小袋
５３：密着部
６０：羊水捕集用器具
６３：密着ガイド部
６５：ハンドル部
７０：羊水捕集用器具
７３：密着ガイド部
【図１】
2009544402.tif 000004
【図２】
2009544402.tif 000005
【図３】
2009544402.tif 000006
【図４】
2009544402.tif 000007
【図５】
2009544402.tif 000008
【図６】
2009544402.tif 000009
【図７】
2009544402.tif 000010
【図８】
2009544402.tif 000011
【図９】
2009544402.tif 000012
【国際調査報告】
2009544402.tif 000013
2009544402.tif 000014